(57)【要約】【課題】機器の使用状態に応じて適切なインタフェースを提供することが可能な情報処理装置を提供する。【解決手段】本発明の情報処理装置は、情報機器の使用場所を特定するための識別情報を、情報機器と接続された接続機器から取得する識別情報取得部と、識別情報取得部により取得された識別情報に基づいて、情報機器の表示部に表示する情報の表示形態を決定する決定処理部と、を備える。情報処理装置は、識別情報と接続機器の設置場所とを関連付けて記憶する識別情報記憶部と、識別情報と表示部に表示する情報の表示形態とを関連付けて記憶する設定情報記憶部と、をさらに備え、決定処理部は、識別情報に基づいて、識別情報記憶部から接続機器の設置場所を識別する識別部と、設定情報記憶部から、識別部により識別された接続機器の設置場所での情報の表示形態を取得する表示処理部と、を備える。【選択図】図１
2011257950.tif 000002
【特許請求の範囲】
【請求項１】
情報機器の使用場所を特定するための識別情報を、前記情報機器と接続された接続機器から取得する識別情報取得部と、
前記識別情報取得部により取得された識別情報に基づいて、前記情報機器の表示部に表示する情報の表示形態を決定する決定処理部と、
を備える、情報処理装置。
【請求項２】
前記識別情報と前記接続機器の設置場所とを関連付けて記憶する識別情報記憶部と、
前記識別情報と前記表示部に表示する情報の表示形態とを関連付けて記憶する設定情報記憶部と、
をさらに備え、
前記決定処理部は、
前記識別情報に基づいて、前記識別情報記憶部から前記接続機器の設置場所を識別する識別部と、
前記設定情報記憶部から、前記識別部により識別された前記接続機器の設置場所での情報の表示形態を取得する表示処理部と、
を備える、請求項１に記載の情報処理装置。
【請求項３】
前記識別情報取得部は、前記接続機器に形成された物理的形状により表された前記識別情報を取得する、請求項１に記載の情報処理装置。
【請求項４】
前記識別情報取得部は、前記接続機器に設けられたＩＣタグに記憶された識別情報を取得する、請求項１に記載の情報処理装置。
【請求項５】
前記識別情報取得部は、情報を提供する情報提供サーバとの通信のアクセスポイントを識別情報として取得する、請求項１に記載の情報処理装置。
【請求項６】
前記決定処理部は、前記識別情報に基づいて前記接続機器の種別を判定し、判定結果に基づいて前記表示部に表示する情報の表示形態を変更する、請求項１に記載の情報処理装置。
【請求項７】
前記情報機器は、筐体に対する衝撃を検出可能な検出部を備え、
前記決定処理部は、前記識別情報に基づいて、前記情報機器を支持する前記接続機器に接続されたことを検知したときにのみ、前記検出部による衝撃検出を可能とする、請求項１に記載の情報処理装置。
【請求項８】
自身の使用場所を特定するための識別情報を取得する識別情報取得部と、前記識別情報取得部により取得された識別情報に基づいて、前記情報機器の表示部に表示する情報の表示形態を決定する決定処理部と、を備える情報処理部を有する情報機器と、
前記情報機器と接続可能に設けられる接続機器と、
からなり、
前記情報機器の識別情報取得部は、当該情報機器に接続された前記接続機器から、前記識別情報を取得する、情報処理ユニット。
【請求項９】
情報機器に接続された接続機器から、当該情報機器の使用場所を特定するための識別情報を取得するステップと、
取得された識別情報に基づいて、前記情報機器の表示部に表示する情報の表示形態を決定するステップと、
を含む、情報処理方法。
【発明の詳細な説明】
【技術分野】
【０００１】
本発明は、情報処理装置、情報処理ユニットおよび情報処理方法に関する。
【背景技術】
【０００２】
ポータブルテレビやポータブルオーディオ機器、スマートフォン等をはじめ、いわゆるポータブル機器は、一般に手に持ったり、リビングルームのローボード上に置いたり、あるいはキッチンの壁に取り付けられたりして使用される。また、ポータブル機器は、ベッドサイドに置いて就寝しながら使用されたりもする。このように、ポータブル機器の使用場所や設置方法は複数想定される。
【０００３】
ポータブル機器の多くは、ディスプレイとタッチパネルとを備え、タッチパネル上で指等を動作させることで操作入力を行うことができる。また、一部のポータブル機器では、加速度センサやショックセンサを内蔵しており、機器を叩いたり振ったりして衝撃を与えることで操作入力することができるものもある。このように、直感的な操作入力を可能とすることで、ポータブル機器の操作性が向上させることができる。
【０００４】
ポータブル機器を設置して使用する場合には、ポータブル機器を支持するクレードルスタンド（以下、「スタンド」ともいう。）等を用いることができる。スタンドには、ポータブル機器を充電する充電機能や、外部アンプ／スピーカー機能等を搭載させることができ、ポータブル機器本体との相互作用によって、単純なスタンド以上の機能を提供することが可能となる。
【０００５】
また、例えば特許文献１に記載には、位置に依存してユーザ制御インタフェースを提供する制御システムが開示されている。かかる制御システムは、ユーザが装置を使用している位置を相対位置決定装置により決定し、その位置に応じて、装置がその環境で実行する予定の機能に対し最適化された装置インタフェースを提供することができる。
【先行技術文献】
【特許文献】
【０００６】
【特許文献１】特表２００２−５２５９４２号公報
【発明の概要】
【発明が解決しようとする課題】
【０００７】
しかし、ポータブル機器をスタンドに接続して用いる場合、物理的に立てて設置する、給電／充電する、外部のアンプやスピーカーにより高品質の音を出力する、等の効果を得ることができるが、それ以上のインテリジェントな機能は提供されない。例えば、スタンドが複数存在する場合、スタンドの設置位置が例えばキッチンと寝室とのように異なるとしても、得られる効果は同じであり、ポータブル機器の使用場所に適したインタフェースを提供するという概念が存在しなかった。
【０００８】
また、ディスプレイとタッチパネルとを備えたポータブル機器では、ポータブルの使用場所や設置方法によらず、基本的に、タッチパネル上で指を動作させて操作入力を行うことを前提としている。このような場合には、指による操作入力を可能とするため、操作可能なすべてのＧＵＩ上のオブジェクトを所定の大きさ以上で表示する。このため、本来は小さく表示したいオブジェクトも所定の大きさ以上に表示されてしまい、本来は大きく表示させたい重要な情報の表示が難しくなるという問題もあった。
【０００９】
さらに、ポータブル機器に筐体に対する衝撃を検出するセンサが備えられている場合、機器の設置方法に応じて、センサの検出精度が低下するという問題もあった。例えば、センサによって機器の筐体が叩かれたことを検出する場合、機器をスタンド等に設置して使用しているときには、筐体が叩かれたこと正確に検出することができる。しかし、機器を手に持って使用しているときには、他の動きの影響により他の衝撃を検出してしまい、筐体が叩かれたことを正確に検出するのが難しく、誤動作を招く恐れがある。
【００１０】
そこで、本発明は、上記問題に鑑みてなされたものであり、本発明の目的とするところは、機器の使用状態に応じて適切なインタフェースを提供することが可能な、新規かつ改良された情報処理装置、情報処理ユニットおよび情報処理方法を提供することにある。
【課題を解決するための手段】
【００１１】
上記課題を解決するために、本発明のある観点によれば、情報機器の使用場所を特定するための識別情報を、情報機器と接続された接続機器から取得する識別情報取得部と、識別情報取得部により取得された識別情報に基づいて、情報機器の表示部に表示する情報の表示形態を決定する決定処理部と、を備える、情報処理装置が提供される。
【００１２】
本発明の情報処理装置は、識別情報と接続機器の設置場所とを関連付けて記憶する識別情報記憶部と、識別情報と表示部に表示する情報の表示形態とを関連付けて記憶する設定情報記憶部と、をさらに備えてもよい。決定処理部は、識別情報に基づいて、識別情報記憶部から接続機器の設置場所を識別する識別部と、設定情報記憶部から、識別部により識別された接続機器の設置場所での情報の表示形態を取得する表示処理部と、を備えてもよい。
【００１３】
識別情報取得部は、接続機器に形成された物理的形状により表された識別情報を取得してもよい。
【００１４】
識別情報取得部は、接続機器に設けられたＩＣタグに記憶された識別情報を取得してもよい。
【００１５】
識別情報取得部は、情報を提供する情報提供サーバとの通信のアクセスポイントを識別情報として取得してもよい。
【００１６】
決定処理部は、識別情報に基づいて接続機器の種別を判定し、判定結果に基づいて表示部に表示する情報の表示形態を変更してもよい。
【００１７】
情報機器は、筐体に対する衝撃を検出可能な検出部を備えてもよい。このとき、決定処理部は、識別情報に基づいて、情報機器を支持する接続機器に接続されたことを検知したときにのみ、検出部による衝撃検出を可能としてもよい。
【００１８】
また、上記課題を解決するために、本発明の別の観点によれば、自身の使用場所を特定するための識別情報を取得する識別情報取得部と、識別情報取得部により取得された識別情報に基づいて、情報機器の表示部に表示する情報の表示形態を決定する決定処理部と、を備える情報処理部を有する情報機器と、情報機器と接続可能に設けられる接続機器と、からなり、情報機器の識別情報取得部は、当該情報機器に接続された接続機器から、識別情報を取得する、情報処理ユニットが提供される。
【００１９】
さらに、上記課題を解決するために、本発明の別の観点によれば、情報機器に接続された接続機器から、当該情報機器の使用場所を特定するための識別情報を取得するステップと、取得された識別情報に基づいて、情報機器の表示部に表示する情報の表示形態を決定するステップと、を含む、情報処理方法が提供される。
【発明の効果】
【００２０】
以上説明したように本発明によれば、機器の使用状態に応じて適切なインタフェースを提供することが可能な、情報処理装置、情報処理ユニットおよび情報処理方法を提供することができる。
【図面の簡単な説明】
【００２１】
【図１】本発明の第１の実施形態に係る情報処理ユニットの適用例を示す説明図である。
【図２】同実施形態に係るポータブル機器の正面図である。
【図３】同実施形態に係るポータブル機器の背面図である。
【図４】同実施形態に係るスタンドの一構成例を示す正面図である。
【図５】同実施形態に係るスタンドの他の構成例を示す正面図である。
【図６】ポータブル機器に表示されるキッチン用ＧＵＩの一例を示す説明図である。
【図７】ポータブル機器に表示される寝室用ＧＵＩの一例を示す説明図である。
【図８】同実施形態に係るポータブル機器の機能構成を示すブロック図である。
【図９】同実施形態に係るＧＵＩ決定処理部によるＧＵＩ決定処理を示すフローチャートである。
【図１０】操作部を備えるスタンドの構成例を示す正面図である。
【図１１】タッチパネルにより操作入力が行われるときの、ＥＰＧの表示例を示す説明図である。
【図１２】操作部により操作入力が行われるときの、ＥＰＧの表示例を示す説明図である。
【図１３】ポータブル機器のハードウェア構成の一構成例を示すブロック図である。
【発明を実施するための形態】
【００２２】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２３】
なお、説明は以下の順序で行うものとする。
１．第１の実施形態（ポータブル機器が接続したスタンドから識別情報を取得する例）
２．第２の実施形態（ポータブル機器を操作部を備えるスタンドに接続したときのＧＵＩ表示例）
３．変形例
４．ハードウェア構成例
【００２４】
＜１．第１の実施形態＞
［情報処理ユニットの概要］
まず、図１を参照して、本発明の第１の実施形態に係る情報処理ユニットの概要について説明する。なお、図１は、本実施形態に係る情報処理ユニットの適用例を示す説明図である。本実施形態に係る情報処理ユニットは、情報を提供するポータブル機器１００と、ポータブル機器１００を設置するためのスタンド２００とからなる。
【００２５】
ポータブル機器１００は、テレビ番組や、インターネット、目覚まし時計機能や料理のレシピ表示機能等のアプリケーション等をユーザに提供可能な多機能ポータブル機器である。ポータブル機器１００は、図１に示すように、例えばキッチンや寝室等の異なる部屋間で持ち運び可能であり、ユーザが使用したい場所で機器を使用することができる。ポータブル機器１００は、ユーザが手に保持して使用することもでき、机上において使用することもでき、図１に示すようなスタンド２００に設置して使用することもできる。
【００２６】
本実施形態に係る情報処理ユニットでは、ポータブル機器１００の使用場所に応じて、当該機器のＵＩ（Ｕｓｅｒ  Ｉｎｔｅｒｆａｃｅ）を変更する。ポータブル機器１００は、例えば、使用場所と関連付けられた識別情報を有するスタンド２００より当該情報を取得することで、機器の使用場所を判断することができる。これにより、ポータブル機器１００をキッチンで使用する場合と寝室で使用する場合とによって、機器に表示されるインタフェースを自動的に変更することができ、ユーザの利便性を高めることができる。
【００２７】
以下では、このような情報処理ユニットの構成とその機能について、詳細に説明していく。
【００２８】
［情報処理ユニットのハードウェア構成］
まず、図２〜図７に基づいて、本実施形態に係る情報処理ユニットの構成について説明する。なお、図２は、本実施形態に係るポータブル機器１００の正面図である。図３は、本実施形態に係るポータブル機器１００の背面図である。図４は、本実施形態に係るスタンド２００の一構成例を示す正面図である。図５は、本実施形態に係るスタンド２００の他の構成例を示す正面図である。図６は、ポータブル機器１００に表示されるキッチン用ＧＵＩの一例を示す説明図である。図７は、ポータブル機器１００に表示される寝室用ＧＵＩの一例を示す説明図である。
【００２９】
（ポータブル機器）
本実施形態に係るポータブル機器１００は、図１にて説明したように、持ち運び可能な多機能ポータブル機器である。ポータブル機器１００は、図２に示すように、例えばプレート状の筐体１１０に、情報を表示するディスプレイ１２０を備えている。ディスプレイ１２０には、例えば、液晶ディスプレイや有機ＥＬディスプレイ等を用いることができる。また、ポータブル機器１００には、指等の操作体の接触あるいは近接を検出するタッチセンサ（図示せず。）が、ディスプレイ１２０と積層して設けられている。タッチセンサは、例えば、検出面と操作体との間の距離に応じて生ずる電極間の静電容量の変化を検出する静電容量式タッチセンサ等を用いることができる。
【００３０】
このような構成とすることにより、ユーザは、ディスプレイ１２０に表示された情報を直接操作するような操作感を持って、操作入力することができる。ここで、ディスプレイ１２０が設けられている側を機器の前面とする。
【００３１】
ポータブル機器１００の背面１００ｂ（ディスプレイ１２０と反対側の面）には、図３に示すように、複数の凹部１１２が形成されている。例えば、図３においては、凹部１１２が３×３の格子状に配列して形成されているが、本発明は係る例に限定されず、１または複数の凹部を適宜配置することができる。ただし、凹部１１２の数は、スタンド２００の凸部の数以上形成される。これらの凹部１１２は、後述するスタンド２００（２００Ａ、２００Ｂ）に形成された凸部（符号２１２）と対応するように設けられている。各凹部１１２には、接触センサ（図示せず。）が設けられており、各凹部１１２にスタンド２００の凸部が挿入されるとこれを検知する。
【００３２】
（スタンド）
本実施形態に係るポータブル機器１００は、スタンド２００に設置して使用することができる。スタンド２００（２００Ａ、２００Ｂ）は、図４および図５に示すように、ポータブル機器１００を支持する支持部２１０を備える。ポータブル機器１００の背面１１０ｂと対向する支持面２１０ａには、ポータブル機器１００に設けられた凹部１１２と対応可能な凸部２１２が形成されている。凸部２１２は、スタンド２００の設置場所を特定するための識別情報であり、その配列パターンによってスタンド２００を区別可能とする。
【００３３】
例えば、図４に示すスタンド２００Ａに形成された６つの凸部２１２の配列パターンと、図５に示すスタンド２００Ｂに形成された６つの凸部２１２の配列パターンとは異なる。このように、凸部２１２の配列パターンによってスタンド２００を区別することができる。ポータブル機器１００は、各スタンド２００とその設置場所とを関連付けて予め記憶しているため、スタンド２００を区別することでその設置場所を特定することが可能となる。なお、スタンド２００に形成可能な凸部２１２の数は、ポータブル機器１００に形成された凹部１１２の数以下であり、凸部２１２が形成されていないスタンド２００があってもよい。
【００３４】
（ＧＵＩの表示）
ポータブル機器１００をスタンド２００に設置すると、ポータブル機器１００の背面１００ｂに形成された凹部１１２に、スタンド２００の凸部２１２が挿入される。このとき、ポータブル機器１００は、凹部１１２に設けられた接触センサの検出結果より、スタンド２００の凸部２１２の配列パターンを特定し、スタンド２００の設置場所（すなわち、ポータブル機器１００の使用場所）を認識する。そして、ポータブル機器１００は、特定されたスタンド２００の設置場所にて利用頻度の高い機能を集めたメニューＧＵＩをディスプレイ１２０に表示する。
【００３５】
例えば、図４に示すスタンド２００Ａがキッチンに設置されたスタンドとして、図５に示すスタンド２００Ｂが寝室に設置されたスタンドとして、ポータブル機器１００に予め登録されているとする。例えば、ポータブル機器１００は、スタンド２００Ａとの接続を検知したとき、図６に示すような、料理のレシピを表示するアプリケーションを起動するための「レシピ」ボタン、キッチンタイマーを起動するための「キッチンタイマー」ボタン等からなるキッチン用メニューＧＵＩ３００Ａを表示する。また、例えば、ポータブル機器１００は、スタンド２００Ｂとの接続を検知したとき、図７に示すような、目覚まし時計機能を起動するための「目覚まし」ボタン、カレンダーを表示させるための「カレンダー」ボタン等からなる寝室用メニューＧＵＩ３００Ｂを表示する。
【００３６】
このように、ポータブル機器１００は、スタンド２００を特定することによってその使用場所を認識し、その使用場所で頻繁に利用されるアプリケーションを起動し易いように構成されたメニューＧＵＩを表示する。これにより、その場所に適した内容が表示されるので、メニューが簡素化され、ユーザの利便性を向上させることができる。
【００３７】
［ポータブル機器の使用場所に応じたＧＵＩ表示］
以下、本実施形態に係るポータブル機器１００の機能構成と、使用場所に応じてＧＵＩを決定する処理についてより具体的に説明する。
【００３８】
（ポータブル機器の機能構成）
まず、図８に基づいて、本実施形態に係るポータブル機器１００の機能構成について説明する。なお、図８は、本実施形態に係るポータブル機器１００の機能構成を示すブロック図である。
【００３９】
本実施形態に係るポータブル機器１００は、当該機器の使用場所を認識し、使用場所に適したＧＵＩを提供するＧＵＩ決定処理部１３０を備える。ＧＵＩ決定処理部１３０は、図８に示すように、識別情報取得部１３１と、識別部１３２と、変更処理部１３３と、識別情報記憶部１３４と、設定情報記憶部１３５とからなる。
【００４０】
識別情報取得部１３１は、ポータブル機器１００の位置を特定するための識別情報を取得する識別情報取得部１３１は、ポータブル機器１００の背面１００ｂの各凹部１１２に設けられた接触センサに対応する。識別情報取得部１３１は、例えば、ポータブル機器１００が設置されるスタンド２００の凸部２１２の配列パターンを識別情報として取得し、識別部１３２へ出力する。
【００４１】
識別部１３２は、識別情報取得部１３１により取得された識別情報に基づいて、ポータブル機器１００の使用場所を認識する。後述するが、ポータブル機器１００の識別情報記憶部１３４には、識別情報と場所とが関連付けて予め記憶されている。識別部１３２は、スタンド２００から取得された識別情報と、識別情報記憶部１３４に記憶された識別情報とのマッチングを行い、合致した識別情報に関連付けられた場所を、ポータブル機器１００の使用場所として認識する。認識部１３２は、ポータブル機器１００の使用場所として認識した場所を、変更処理部１３３へ出力する。
【００４２】
変更処理部１３３は、識別部１３２により認識されたポータブル機器１００の使用場所に基づいて、ディスプレイ１２０に表示するＧＵＩを決定する。変更処理部１３３は、後述する設定情報記憶部１３５に予め記憶された設定情報から、ポータブル機器１００の使用場所に対応するＧＵＩの設定情報を取得してディスプレイ１２０に表示する。
【００４３】
識別情報記憶部１３４は、識別情報取得部１３１により取得される識別情報と場所とを関連付けて記憶する記憶部である。例えば、図４、５に示したスタンド２００Ａ、２００Ｂの凸部２１２の配列パターンを識別情報とする。このとき、識別情報記憶部１３４には、スタンド２００Ａの凸部２１２の配列パターンはキッチン、スタンド２００Ｂの凸部２１２の配列パターンは寝室、のように記憶されている。ポータブル機器１００は、識別部１３２により、識別情報記憶部１３４を参照して、識別情報取得部１３１により取得した識別情報と関連付けられている場所を特定することで、ポータブル機器１００の使用場所を認識することができる。
【００４４】
設定情報記憶部１３５は、ポータブル機器１００の使用場所と当該使用場所において表示するメニューＧＵＩとを関連付けた設定情報を記憶する。設定情報には、例えば、使用場所「キッチン」に対して、メニューＧＵＩに、テレビ番組を表示するアプリケーション（テレビ）、音楽を再生するアプリケーション（音楽）、料理のレシピを表示するアプリケーション（レシピ）、キッチンタイマーのアプリケーション（キッチンタイマー）を表示することが設定されている。あるいは、使用場所「キッチン」に対して、メニューＧＵＩに、テレビ番組を表示するアプリケーション（テレビ）、音楽を再生するアプリケーション（音楽）、目覚まし時計機能のアプリケーション（目覚まし）、カレンダーを表示するアプリケーション（カレンダー）を表示することが設定されている。
【００４５】
設定情報は、ポータブル機器１００に予め設定されていてもよく、ユーザが設定することもできる。ポータブル機器１００は、変更処理部１３３により、設定情報記憶部１３５を参照して、機器の使用場所に適したメニューＧＵＩをディスプレイ１２０に表示させる。
【００４６】
なお、ポータブル機器１００には、アプリケーションを提供するための機能として、通信部１４２と、実行処理部１４４と、アプリケーション記憶部１４６とを備える。ＧＵＩ決定処理部１３０によりディスプレイ１２０に表示されたメニューＧＵＩより、ユーザが実行するアプリケーションを選択すると、実行処理部１４４により、選択されたアプリケーションの実行処理が開始される。実行処理部１４４は、実行するアプリケーションを、通信部１４２を介して、あるいはアプリケーション記憶部１４６から取得し、アプリケーションを実行する。アプリケーションが実行されると、例えばテレビ番組がディスプレイ１２０に表示されたり、音楽がスピーカー（図示せず。）から出力されたりする。
【００４７】
また、本実施形態に係るポータブル機器１００は、タッチパネル等の入力デバイス１５２を備え、操作情報を入力することができるように構成されている。また、ポータブル機器１００は加速度センサ１５４を内蔵しており、ユーザが機器の筐体１１０叩いたりして衝撃を加えるという操作入力も可能となっている。
【００４８】
（ＧＵＩ決定処理）
このようなポータブル機器１００は、ＧＵＩ決定処理部１３０により、機器の使用場所に応じたメニューＧＵＩの表示を行うことができる。この処理を図９に示す。以下では、図１〜図７に示した、スタンド２００を識別することによってポータブル機器１００の使用場所を特定し、ディスプレイ１２０に表示するメニューＧＵＩを決定する処理について説明する。ポータブル機器１００は、スタンド２００Ａ、２００Ｂとその設置場所とを関連付けた情報を、識別情報として識別情報記憶部１３４に記憶しているものとする。
【００４９】
ポータブル機器１００がスタンド２００に設置されると、ポータブル機器１００の識別情報取得部１３１は、スタンド２００の識別情報を取得する（Ｓ１００）。識別情報取得部１３１は、ポータブル機器１００の背面１００ｂの凹部１１２に挿入されたスタンド２００の凸部２１２を検出し、スタンド２００に形成された凸部２１２の配列パターンを認識する。識別情報取得部１３１は、認識した凸部２１２の配列パターンを、識別部１３２へ出力する。
【００５０】
次いで、識別部１３２は、凸部２１２の配列パターンに基づいて、識別情報記憶部１３４に記憶された識別情報とのマッチング処理を行い、ポータブル機器１００が設置されたスタンド２００を特定する。例えば、識別部１３２は、まず、凸部２１２の配列パターンがキッチンに設置されたスタンド２００Ａの配列パターンであるか否か確認する（Ｓ１１０）。識別情報取得部１３１により取得された配列パターンと一致する識別情報があった場合には、識別部１３２は、ポータブル機器１００がキッチンに設置されたスタンド２００Ａに設置されたと判断し、変更処理部１３３にキッチン用ＧＵＩを表示するよう指示する。指示を受けた変更処理部１３３は、設定情報記憶部１３５からキッチン用ＧＵＩの設定情報を取得して、ディスプレイ１２０にキッチン用のメニューＧＵＩを表示させる（Ｓ１２０）。
【００５１】
一方、識別情報取得部１３１により取得された配列パターンと一致する識別情報がなかった場合には、識別部１３２は、次いで、凸部２１２の配列パターンが寝室に設置されたスタンド２００Ｂの配列パターンであるか否か確認する（Ｓ１３０）。識別情報取得部１３１により取得された配列パターンと一致する識別情報があった場合には、識別部１３２は、ポータブル機器１００が寝室に設置されたスタンド２００Ｂに設置されたと判断し、変更処理部１３３に寝室用ＧＵＩを表示するよう指示する。指示を受けた変更処理部１３３は、設定情報記憶部１３５から寝室用ＧＵＩの設定情報を取得して、ディスプレイ１２０に寝室用のメニューＧＵＩを表示させる（Ｓ１４０）。
【００５２】
なお、本実施形態では、ポータブル機器１００を設置するスタンド２００は２種類のみとして説明したが、さらにポータブル機器１００を設置可能なスタンド２００が存在する場合もある。この場合、識別部１３２は、これらのスタンド２００の識別情報と、識別情報取得部１３１により取得された配列パターンとのマッチング処理も同様に行えばよい。
【００５３】
識別情報とのマッチング処理により取得された凸部２１２の配列パターンと一致する識別情報がなかった場合、識別部１３２は、変更処理部１３３に対して、初期設定として設定されたメニューＧＵＩをディスプレイ１２０に表示する指示を行う。かかる指示を受けた変更処理部１３３は、設定情報記憶部１３５よりメニューＧＵＩの初期設定を取得し、ディスプレイ１２０に表示させる（Ｓ１５０）。
【００５４】
以上、本実施形態に係るポータブル機器１００によるメニューＧＵＩの表示決定処理について説明した。このように、ポータブル機器１００は、機器が設置されたスタンド２００を検出して識別することで、自身が使用されている場所を特定する。そして、機器の使用場所に応じたメニューＧＵＩをディスプレイ１２０に表示することで、その場所で利用頻度の高いアプリケーションを実行させ易くすることができ、ユーザの利便性を向上することができる。
【００５５】
＜２．第２の実施形態＞
次に、図１０〜図１２に基づいて、本発明の第２の実施形態に係る情報処理ユニットについて説明する。本実施形態の情報処理ユニットは、第１の実施形態と同様、ポータブル機器１００と、これを支持するスタンド２００とからなる。これらのハードウェア構成および機能構成は基本的に第１の実施形態と同一であるが、本実施形態に係るスタンド２００（２００Ｃ）は、ポータブル機器１００を支持する支持部２１０に加えて、ポータブル機器１００を操作するための操作部２２０を備える点で、第１の実施形態と相違する。以下では、ポータブル機器１００がスタンド２００Ｃに設置されたときのポータブル機器１００における処理について説明する。本実施形態に係るポータブル機器１００の機能構成は、図８に示す構成と略同一であるため、その説明は省略する。
【００５６】
［接続対象に応じたＧＵＩの表示方法および操作方法の変更］
本実施形態に係るスタンド２００Ｃは、図１０に示すように、ポータブル機器１００を支持する支持部２１０と、ポータブル機器１００を操作するための操作部２２０とを備える。支持部２１０の指示面２１０ａには、図４、５に示した第１の実施形態のスタンド２００Ａ、２００Ｂと同様、凸部２１２がスタンド毎に異なるように配列されている。ポータブル機器１００は、この凸部２１２の配列パターンを認識することにより、自身が設置されたスタンド２００を特定することができる。
【００５７】
また、スタンド２００Ｃには、スタンド２００Ｃに設置されたポータブル機器１００を操作するための操作部２２０が設けられている。操作部２２０は、図１０に示すように、ポータブル機器１００のディスプレイ１２０にメニューＧＵＩを表示させるためのメニューボタン２２２や、メニューから実行するアプリケーションを選択するためのカーソルキー２２４等が設けられている。さらに、選択されている内容を決定するための決定ボタン２２６や、ディスプレイ１２０の表示内容を前画面に戻すための戻るボタン２２８等も操作部２２０に設けられている。
【００５８】
操作部２２０は、スタンド２００Ｃにポータブル機器１００が設置されることにより使用可能となる。スタンド２００Ｃは、例えば赤外線センサやボタン等を支持部２１０の支持面２１０ａに設けることで、ポータブル機器１００が設置されたことを検出することができる。また、スタンド２００Ｃは、ポータブル機器１００と有線あるいは無線による通信接続を確立することで、ポータブル機器１００が設置されたことを検出することもできる。
【００５９】
スタンド２００Ｃに操作部２２０を設けることで、ポータブル機器１００に対する情報の入力操作の方法が広がる。そこで、本実施形態に係るポータブル機器１００は、ポータブル機器１００の使用状態に応じて、操作入力の形態を切り替え、ユーザが操作しやすいＧＵＩを提供する。
【００６０】
例えば、ユーザが、ポータブル機器１００のディスプレイ１２０にＥＰＧ（Ｅｌｅｃｔｒｏｎｉｃ  Ｐｒｏｇｒａｍ  Ｇｕｉｄｅ；電子番組ガイド）を表示させ、放送されるテレビ番組を確認する場合を考える。ポータブル機器１００のタッチパネルで入力操作を行う場合、図１１に示すように、ＥＰＧの各テレビ番組を指で操作し易くするため、番組時間の長さによらず、ある一定の大きさ以上で番組欄が表示される。図１１に示す例では、番組欄を縦方向に大きく取るようにし、番組時間の短い短時間番組、例えば１５分以下のテレビ番組の番組欄の縦方向の長さはすべて同一高さとしている。
【００６１】
このようなＥＰＧの表示とすればタッチパネルによる入力操作は行い易くなるが、各テレビ番組の番組時間の長さが直感的にわかり難い。また、短時間番組についても一定の大きさ以上の番組欄となるため、ディスプレイ１２０の表示領域の関係上、番組時間の長いテレビ番組については番組時間の長さによらず番組欄が小さくなる。このため、番組時間の長いテレビ番組の番組欄を大きくした場合に表示できていた、番組の詳細内容を表示することができなくなる可能性もある。
【００６２】
一方、スタンド２００Ｃの操作部２２０によってポータブル機器１００が操作可能となることで、タッチパネルを用いる場合のように番組欄の大きさを一定以上確保しなくとも操作入力は容易に行うことができる。番組時間の長さに応じてＥＰＧの番組欄の大きさを設定したとき、例えば図１２に示すように、ニュースとドラマとの間に放送される番組は短時間番組であり、その番組に関する情報が表示されていない状態であったとする。この場合、番組欄の大きさが小さくなり、指では操作しづらい場合にも、ユーザは、スタンド２００Ｃの操作部２２０のカーソルキー２２４を用いてカーソル３１０を移動させることができるため、入力操作を問題なく行うことができる。
【００６３】
また、図１２に示すように、カーソル３１０によりフォーカスされた番組欄については、一時的に番組欄を拡大し、少なくとも番組名を表示可能なサイズとすることで、通常は表示されていない番組に関する情報を表示させることもできる。また、番組欄の大きさを番組時間に応じて決定することで、ユーザが番組時間を直感的に認識し易く、また、番組時間の長いテレビ番組についてはその詳細内容も一目でわかるように表示することもできる。
【００６４】
このように、手に持って使用しているか、あるいはスタンド２００に設置して使用しているかといったポータブル機器１００の使用状態に応じて、ＧＵＩの内容だけでなく、その表示方法や操作方法を変更することもできる。
【００６５】
［ポータブル機器の設置位置に応じたＧＵＩの変更］
本実施形態では、ポータブル機器１００を操作するための入力デバイスによってＧＵＩのオブジェクトの選択方法を変更したが、例えば、ポータブル機器１００の設置位置に応じて提示するＧＵＩを変更してもよい。例えば、ポータブル機器１００をユーザの手元に立てかけるための立てかけスタンドと、壁に設置された壁スタンドとがあるとする。一般に、壁スタンドにポータブル機器１００を設置した場合、立てかけスタンドに設置した場合よりもポータブル機器１００はユーザから離れた位置に設けられる。したがって、壁スタンドに設置されたポータブル機器１００を操作する入力デバイスとしては、ポータブル機器１００のタッチパネルよりもリモートコントローラを用いた方が便利である。
【００６６】
そして、ユーザはポータブル機器１００のディスプレイ１２０を遠くから見るため、ＧＵＩを構成する各オブジェクトの表示を大きくしたり、コントラストのはっきりした、視認し易いＧＵＩを表示したりするように、変更処理部１３３によりＧＵＩを変更する。このようなＧＵＩの設定は、設定情報記憶部１３５に予め設定しておくことができる。
【００６７】
＜３．変形例＞
本発明は、上述した実施形態にて説明した情報処理ユニットの構成に限定されず、その構成やＧＵＩの提供方法については適宜変更することができる。
【００６８】
［識別情報の検出方法］
ポータブル機器１００の使用場所を認識するために、上記実施形態では、ポータブル機器１００を設置するスタンド２００の識別情報を取得し、当該スタンド２００の設置場所を認識する処理を行っている。この際、識別情報としてスタンド２００の支持面２１０ａに形成された凸部２１２の配列パターンを用い、複数の凹凸の物理的パターンを機械的に認識することでポータブル機器１００は自身の使用場所を特定したが、本発明はかかる例に限定されない。例えば、各スタンド２００に無線ＩＣタグを埋め込み、ポータブル機器１００にはそのリーダーを設けて、ポータブル機器１００のリーダーで、当該機器が設置されたスタンド２００の無線ＩＣタグを読み取ることで、スタンド２００を識別することもできる。
【００６９】
また、ポータブル機器１００がＷｉＦｉ無線通信可能である場合、ＷｉＦｉアクセスポイントとの位置関係から、自身が使用されている場所を推定することも可能である。これにより、例えばキッチンで使用されているのか、あるいは寝室で使用されているのか、とポータブル機器１００が認識することができ、使用場所に応じたＧＵＩを提示することができる。ポータブル機器１００の位置は、ＧＰＳ（Ｇｌｏｂａｌ  Ｐｏｓｉｔｉｏｎｉｎｇ  Ｓｙｓｔｅｍ）等を用いても取得することができ、ＧＰＳ情報からどの場所で使用されているか否かを判断して、使用場所に適したＧＵＩを提示するようにしてもよい。
【００７０】
さらに、上記第２の実施形態において、入力デバイスの変化によるＧＵＩ表示を変更させるとき、ポータブル機器１００がＨＩＤ（Ｈｕｍａｎ  Ｉｎｔｅｒｆａｃｅ  Ｄｅｖｉｃｅ）のデバイスクラスを認識したか否かに応じてＧＵＩ表示を変更してもよい。マウスやキーボード等の入力デバイスがポータブル機器１００に接続されると、ポータブル機器１００は接続された入力デバイスのデバイスクラスを取得し、使用場所に適したＧＵＩを、この入力デバイスによって入力し易い形態で表示する。これにより、ユーザの利便性を向上させることができ、操作性も高めることができる。
【００７１】
また、ポータブル機器１００の使用場所に応じてＧＵＩを変更するだけでなく、機器の設置の仕方に応じて、ディスプレイ１２０の表示内容を変更するようにしてもよい。例えば、ポータブル機器１００に、機器の設置角度を検出可能なセンサを設け、長方形のディスプレイ１２０を縦長に設置するか横長に設置するかによって、提示するＧＵＩの内容を変更する。具体的には、キッチンに配置されたスタンド２００に対して、ディスプレイ１２０が縦長となるように配置された場合には、ポータブル機器１００は、料理のレシピのアプリケーションを自動的に起動する。一方、ディスプレイ１２０が横長となるように配置された場合には、ポータブル機器１００は、テレビ番組を提示するアプリケーションを自動的に起動する。
【００７２】
また、ポータブル機器１００は、スタンド２００の設置面に対するディスプレイ１２０の表示面の傾きに応じて、ディスプレイ１２０に表示するＧＵＩを変更させてもよい。このように、ポータブル機器１００の使用場所に加えて、使用方法によって使用したいアプリケーションを直接起動できるようにすることで、利便性を高めることができる。
【００７３】
［ポータブル機器の使用場所に応じたＧＵＩの表示内容］
上記実施形態では、ポータブル機器１００は、機器の使用場所を特定するためにポータブル機器１００を設置するスタンド２００の識別情報を取得し、その識別情報から特定された機器の使用場所に適したＧＵＩを表示する処理を行っている。このとき表示されるＧＵＩの一例として、アプリケーションを起動するためのボタンを配置した、単純なメニューＧＵＩを挙げたが、本発明はかかる例に限定されない。
【００７４】
例えば、料理のレシピの閲覧はどの場所でも行うことが考えられるが、ユーザがレシピを閲覧しながらキッチンタイマーを動作させようと思うのは主にキッチンにいるときであると考える。そこで、ポータブル機器１００は、例えばスタンド２００から取得した識別情報よりキッチンにいると認識し、かつ、ユーザがレシピを閲覧中（レシピアプリケーションを起動中）である場合には、ディスプレイ１２０にキッチンタイマーのアプリケーションを起動させるためのオブジェクトを表示させるようにしてもよい。このように、ポータブル機器１００の使用場所に応じて、起動されたアプリケーションの内容の変更等を柔軟に行うことも可能である
【００７５】
さらに、上記実施形態で示したメニューＧＵＩの種類や、メニューＧＵＩに表示されるアプリケーションの種類は、予め設定されていたが、本発明は係る例に限定されず、ユーザが自身の好みによって変更することもできる。あるいは、通信部１４２を介してオンラインアップデート等によって提供されたアプリケーションをメニューＧＵＩに表示させることもでき、メニューＧＵＩ自体の構成の変更を行うことも可能である。ポータブル機器１００を設定するスタンド２００の数を増加した場合にも、追加されたスタンド２００の設置場所に適したメニューＧＵＩを、ネットワークを介してダウンロードし、設定情報記憶部１３５に記憶させることで、本発明を適用することができる。
【００７６】
また、ポータブル機器１００の変更処理部１３３により、ポータブル機器１００の使用場所に応じて、ＧＵＩの表示内容の変更だけでなく、ディスプレイ１２０の明るさ等を自動的に変更するようにしてもよい。例えば、一般に、キッチンは明るく寝室は暗いことから、ポータブル機器１００がキッチンで使用されていると認識した場合にはディスプレイ１２０を明るくし、寝室で使用されていると認識した場合にはディスプレイ１２０を暗くするようにする。このように、使用場所に応じて適切な画面の明るさでＧＵＩを表示させることで、ユーザに見易い表示を提供することができる。
【００７７】
なお、ポータブル機器１００の使用場所に応じて、自動的に実行するアプリケーションを設定しておくことも可能である。例えば、ポータブル機器１００がキッチンで使用される場合にはレシピのアプリケーション、寝室で使用される場合には目覚まし時計のアプリケーションを自動的に起動するようにする。自動的に起動するアプリケーションは、ユーザが設定してもよく、利用頻度の高いアプリケーションを機器が判断して設定してもよい。自動的に起動するアプリケーションの設定は、設定情報記憶部１３５に記憶しておくことができる。このように、変更処理部１３３によって、使用場所に応じて自動的にアプリケーションが起動されるようにすることで、ユーザの手間を省き、利便性を高めることができる。
【００７８】
［ユーザに応じたＧＵＩ表示の変更］
ポータブル機器１００を使用するユーザは１人であるとは限らない。このとき、ポータブル機器１００の使用場所に応じて当該機器を使用していると想定されるユーザも変わる可能性もある。例えば、キッチンでは主婦のみがポータブル機器１００を使用し、寝室では夫婦２人がポータブル機器１００を使用することが考えられる。そこで、例えば、電子メール等のユーザ毎のアカウント等を要するアプリケーションを起動する場合、変更処理部１３３は、キッチンでは主婦のアカウントがデフォルトを表示するようにする。また、寝室では、変更処理部１３３は、夫婦２人のアカウントを選択するＵＩをディスプレイ１２０に表示するようにする。このように、ポータブル機器１００の使用場所に応じて、当該機器を使用しているユーザを推定し、自動的にそのユーザに合致したＧＵＩを提供することもできる。
【００７９】
［入力デバイスの有効化／無効化］
ポータブル機器１００には、図８に示したように、筐体１１０に対する衝撃を検出可能な加速度センサ１５４を設けることもできる。これにより、例えば、ポータブル機器１００を叩いて、所定のアプリケーションを実行させることも可能になる。ここで、ユーザがポータブル機器１００を持って使用している場合には、ユーザの他の動きの影響を受けて、筐体１１０が叩かれたことを正確に検出することができない可能性がある。また、筐体１１０を叩く入力操作を行う場合は、通常、ポータブル機器１００は机上等に設置されている場合が多い。
【００８０】
そこで、ポータブル機器１００がスタンド２００に設置されたことを検知した場合に、ポータブル機器１００の加速度センサ１５４を有効化し、筐体１１０を叩く入力操作を可能とするようにする。ポータブル機器１００がスタンド２００に設置されていない場合には、加速度センサ１５４を無効化し、筐体１１０を叩く入力操作は受け付けない。このようにポータブル機器１００の使用状態に応じて加速度センサ１５４を有効にしたり無効にしたりすることで、加速度センサ１５４の検出結果を誤判定し、意図しない機器の操作が行われるのを防止できる。
【００８１】
＜４．ハードウェア構成例＞
本実施形態にかかるポータブル機器１００による処理は、ハードウェアにより実行させることもでき、ソフトウェアによって実行させることもできる。この場合、ポータブル機器１００は、図１３に示すようなコンピュータとして構成することもできる。以下、図１３に基づいて、本実施形態に係るポータブル機器１００の一ハードウェア構成例について説明する。
【００８２】
本実施形態に係るポータブル機器１００は、上述したように、コンピュータ等の処理装置により実現することができる。ポータブル機器１００は、図１３に示すように、ＣＰＵ（Ｃｅｎｔｒａｌ  Ｐｒｏｃｅｓｓｉｎｇ  Ｕｎｉｔ）１０１と、ＲＯＭ（Ｒｅａｄ  Ｏｎｌｙ  Ｍｅｍｏｒｙ）１０２と、ＲＡＭ（Ｒａｎｄｏｍ  Ａｃｃｅｓｓ  Ｍｅｍｏｒｙ）１０３と、ホストバス１０４ａとを備える。また、ポータブル機器１００は、ブリッジ１０４と、外部バス１０４ｂと、インタフェース１０５と、入力装置１０６と、出力装置１０７と、ストレージ装置（ＨＤＤ）１０８と、ドライブ１０９と、接続ポート１１１と、通信装置１１３とを備える。
【００８３】
ＣＰＵ１０１は、演算処理装置および制御装置として機能し、各種プログラムに従ってポータブル機器１００内の動作全般を制御する。また、ＣＰＵ１０１は、マイクロプロセッサであってもよい。ＲＯＭ１０２は、ＣＰＵ１０１が使用するプログラムや演算パラメータ等を記憶する。ＲＡＭ１０３は、ＣＰＵ１０１の実行において使用するプログラムや、その実行において適宜変化するパラメータ等を一時記憶する。これらはＣＰＵバスなどから構成されるホストバス１０４ａにより相互に接続されている。
【００８４】
ホストバス１０４ａは、ブリッジ１０４を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バスなどの外部バス１０４ｂに接続されている。なお、必ずしもホストバス１０４ａ、ブリッジ１０４および外部バス１０４ｂを分離構成する必要はなく、一つのバスにこれらの機能を実装してもよい。
【００８５】
入力装置１０６は、マウス、キーボード、タッチパネル、ボタン、マイク、スイッチおよびレバーなどユーザが情報を入力するための入力手段と、ユーザによる入力に基づいて入力信号を生成し、ＣＰＵ１０１に出力する入力制御回路などから構成されている。出力装置１０７は、例えば、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｏｄｅ）装置およびランプなどの表示装置や、スピーカなどの音声出力装置を含む。
【００８６】
ストレージ装置１０８は、ポータブル機器１００の記憶部の一例であり、データ格納用の装置である。ストレージ装置１０８は、記憶媒体、記憶媒体にデータを記録する記録装置、記憶媒体からデータを読み出す読出し装置および記憶媒体に記録されたデータを削除する削除装置などを含んでもよい。ストレージ装置１０８は、例えば、ＨＤＤ（Ｈａｒｄ  Ｄｉｓｋ  Ｄｒｉｖｅ）で構成される。このストレージ装置１０８は、ハードディスクを駆動し、ＣＰＵ１０１が実行するプログラムや各種データを格納する。
【００８７】
ドライブ１０９は、記憶媒体用リーダライタであり、ポータブル機器１００に内蔵、あるいは外付けされる。ドライブ１０９は、装着されている磁気ディスク、光ディスク、光磁気ディスク、または半導体メモリ等のリムーバブル記録媒体に記録されている情報を読み出して、ＲＡＭ１０３に出力する。
【００８８】
接続ポート１１１は、外部機器と接続されるインタフェースであって、例えばＵＳＢ（Ｕｎｉｖｅｒｓａｌ  Ｓｅｒｉａｌ  Ｂｕｓ）などによりデータ伝送可能な外部機器との接続口である。また、通信装置１１３は、例えば、通信網１０に接続するための通信デバイス等で構成された通信インタフェースである。また、通信装置１１２は、無線ＬＡＮ（Ｌｏｃａｌ  Ａｒｅａ  Ｎｅｔｗｏｒｋ）対応通信装置であっても、ワイヤレスＵＳＢ対応通信装置であっても、有線による通信を行うワイヤー通信装置であってもよい。
【００８９】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００９０】
例えば、上記実施形態では、図１０に示す操作部２２０は、スタンド２００Ｃの支持部２１０と一体に形成されているが、本発明は係る例に限定されない。例えば、操作部２２０をスタンド２００Ｃから分離して使用できるように構成することもできる。この場合、操作部２２０はポータブル機器１００を操作するリモートコントローラとして機能するようになる。
【００９１】
また、上記実施形態では、スタンド２００の凸部２１２は支持面２１０ａに固定されていたが、本発明はかかる例に限定されない。例えば、凸部２１２を取り外し可能にして、ユーザが凸部２１２の配列を変更することもできる。また、スタンド２００に設置場所を特定するための識別情報を切り替えるスイッチ等を設けてもよい。このように、凸部２１２の配列パターン等の識別情報を切り替えることで、スタンド２００の設置場所を移動したときに、移動後の場所に適したメニューＧＵＩ等を表示させることが可能である。
【００９２】
さらに、上記実施形態では、持ち運び可能なポータブル機器１００と、これを支持するスタンド２００とからなる情報処理ユニットについて説明したが、本発明はかかる例に限定されない。例えば、ＧＵＩを提供する機器は必ずしも持ち運び可能でなくともよく、例えば、大型のテレビ等であってもよい。この場合、例えば、テレビにキーボードが接続されたときに、テレビのディスプレイに表示されているＵＩ等を変更するようにしてもよい。
【符号の説明】
【００９３】
１００    ポータブル機器
１１０    筐体
１１２    凹部
１２０    ディスプレイ
１３０    ＧＵＩ決定処理部
１３１    識別情報取得部
１３２    識別部
１３３    変更処理部
１３４    識別情報記憶部
１３５    設定情報記憶部
１４２    通信部
１４４    実行処理部
１４６    アプリケーション記憶部
１５２    入力デバイス
１５４    加速度センサ
２００、２００Ａ、２００Ｂ、２００Ｃ    スタンド
２１０    支持部
２１２    凸部
２２０    操作部
【図１】
2011257950.tif 000003
【図２】
2011257950.tif 000004
【図３】
2011257950.tif 000005
【図４】
2011257950.tif 000006
【図５】
2011257950.tif 000007
【図６】
2011257950.tif 000008
【図７】
2011257950.tif 000009
【図８】
2011257950.tif 000010
【図９】
2011257950.tif 000011
【図１０】
2011257950.tif 000012
【図１１】
2011257950.tif 000013
【図１２】
2011257950.tif 000014
【図１３】
2011257950.tif 000015